(57)【要約】【課題】構造が簡単で安全に取り外しを行うことができるカーテンの開閉部材を提供する。【解決手段】上端に固定して設けられた桿体と、カーテンの上端に粘着装置で粘着固定して設けられた中間桿体と、カーテンの下端に粘着装置で粘着固定して設けられた桿体と、中間桿体と桿体の間に粘着装置で固定して設けるカーテンと、桿体の一端に固定して設ける２本の回転軸と、カーテン上に適宜な間隔で平行に設ける複数の平行桿体と、複数のフックでカーテン上に挟持する複数のリングと、回転軸に設けられた第１チェーンと、もう一本の回転軸に設けられた第２チェーンとを具えてなり、該第１チェーンにより回転軸と伝動軸に連接して連動する垂直に複数設けられた第１コードが複数のリングを貫通してカーテンを上下に動かし、第２チェーンと回転軸に連接し、連動する垂直に複数設けられた第２コードが中間桿体を上下に動かす。【選択図】図３
0003122057.tif 000002
【実用新案登録請求の範囲】
【請求項１】
窓枠の上端に固定して設けられた桿体と、
該上端の桿体の下方のカーテンの上端に粘着装置で粘着固定して設けられた中間桿体と、
該中間桿体の下方のカーテンの下端に粘着装置で粘着固定して設けられた桿体と、
該中間桿体と桿体の間に粘着装置で固定して設けられるカーテンと、
該窓枠の上端に設けられた桿体の一端に固定して設けられる２本の回転軸と、
該カーテン上に適宜な間隔で平行に設けられる複数の平行桿体と、
複数のフックでカーテン上に挟持される複数のリングと、
該回転軸に設けられた第１チェーンと、
もう一本の回転軸に設けられた第２チェーンとを具えてなり、
該第１チェーンにより回転軸と伝動軸に連接して連動する垂直に複数設けられた第１コードが複数のリングを貫通して設けられているためカーテンを上下に動かし、第２チェーンと回転軸に連接し、連動する垂直に複数設けられた第２コードが中間桿体を上下に動かし、前述の部材を組み合わせることにより第１チェーンが、固定された上端の桿体と、滑動自在に設けられた下端の桿体の間に設けられたカーテンを上下に動かすとともに、第２チェーンが、滑動自在に設けられた中間桿体と、下端の桿体の間に設けられたカーテンを上下に動かすことができ、簡単で安全にカーテンを取り付け、外すことができる構造を特徴とするカーテンの開閉部材。
【請求項２】
前記カーテンは布から形成してもよいことを特徴とする請求項１に記載のカーテンの開閉部材。
【請求項３】
前記カーテンは木材から形成してもよいことを特徴とする請求項１に記載のカーテンの開閉部材。
【請求項４】
前記カーテンは竹材から形成してもよいことを特徴とする請求項１に記載のカーテンの開閉部材。
【請求項５】
前記粘着装置は、どのような材質でも対に形成されていればよいことを特徴とする請求項１に記載のカーテンの開閉部材。
【請求項６】
前記第１チェーン及び第２チェーンは、チェーン状であればどのような材質から形成してもよい    ことを特徴とする請求項１に記載のカーテンの開閉部材。
【請求項７】
前記第１コード及び第２コードは、細いコードの形状であれば、どのような材質から形成してもよいことを特徴とする請求項１に記載のカーテンの開閉部材。
【請求項８】
前記フックは、複数の平行桿体と垂直な複数の第１コードが交差する場所に固定して設けることを特徴とする請求項１に記載のカーテンの開閉部材。
【考案の詳細な説明】
【技術分野】
【０００１】
この考案は、カーテンの開閉部材に関し、特に窓に設けて日光や部屋内の光を遮断するカーテンを簡単に開閉することができるカーテンの開閉部材に関する。
【背景技術】
【０００２】
従来の左右、もしくは上下に開閉するカーテンは、１本のチェーンを回転軸上に設けてチェーンを引くことにより回転軸を回転させて左右、もしくは上下にカーテンを開閉する。
【０００３】
しかしながら、カーテンは窓の上方に固定して設けられているため、取り外しが不便なだけでなく、カーテンが高い位置に設けられている場合、安全に取替えることができない。
【０００４】
図１に、従来の左右に開閉するカーテンを開示する。図面によれば、左右に開閉するカーテンの開閉部材１は、手でチェーン１３を引っ張ると、回転軸１１が回転して桿体１２のレールが滑動してカーテン１０を左右に動かして開閉する。
【０００５】
図２に、従来の上下に開閉するカーテンの開閉部材の背面図を開示する。図面では従来の上下に開閉するカーテンの開閉部材の形態の１つを開示する。図面によれば、上下に開閉するカーテンの開閉部材２は、手でチェーン２６を引くと、カーテン２７の上端に設けられた桿体２０の一端に設けられた回転軸２１が回転してカーテン２７の上端に固定された桿体２０内から下方に垂直に設けられた細いコード２２を動かすため、カーテン２７を開閉することができる。図２に開示するカーテン２７は、固定するために平行桿体２３を設けなければならない。該平行桿体２３とコード２２が交差する場所にはリング２５と、フック２４とが設けられる。該コード２２はリング２５を貫通して設けられて、カーテン２７を平行に上下させることができる。
【０００６】
しかしながら、前述した従来のカーテンはいずれも窓の上方に固定されているため、取り外しが不便であるだけでなく、高い位置に設けられている場合には取り外しが危険である。
【考案の開示】
【考案が解決しようとする課題】
【０００７】
この考案は、構造が簡単で安全に取り外しを行うことができるカーテンの開閉部材を提供することを課題とする。
【課題を解決するための手段】
【０００８】
そこで、本考案の考案者は従来の技術に見られる欠点に鑑みて鋭意研究を重ねた結果、窓枠の上端に固定して設けられた桿体と、該上端の桿体の下方のカーテンの上端に粘着装置で粘着固定して設けられた中間桿体と、該中間桿体の下方のカーテンの下端に粘着装置で粘着固定して設けられた桿体と、該中間桿体と桿体の間に粘着装置で固定して設けられるカーテンと、該窓枠の上端に設けられた桿体の一端に固定して設けられる２本の回転軸と、
該カーテン上に適宜な間隔で平行に設けられる複数の平行桿体と、複数のフックでカーテン上に挟持される複数のリングと、該回転軸に設けられた第１チェーンと、もう一本の回転軸に設けられた第２チェーンとを具えてなり、該第１チェーンにより回転軸と伝動軸に連接して連動する垂直に複数設けられた第１コードが複数のリングを貫通して設けられているためカーテンを上下に動かし、第２チェーンと回転軸に連接し、連動する垂直に複数設けられた第２コードが中間桿体を上下に動かし、前述の部材を組み合わせることにより第１チェーンが、固定された上端の桿体と、滑動自在に設けられた下端の桿体の間に設けられたカーテンを上下に動かすとともに、第２チェーンが、滑動自在に設けられた中間桿体と、下端の桿体の間に設けられたカーテンを上下に動かすことができ、簡単で安全にカーテンを取り付け、外すことができる。
【０００９】
以下、この考案について具体的に説明する。
請求項１に記載するカーテンの開閉部材は、窓枠の上端に固定して設けられた桿体と、該上端の桿体の下方のカーテンの上端に粘着装置で粘着固定して設けられた中間桿体と、該中間桿体の下方のカーテンの下端に粘着装置で粘着固定して設けられた桿体と、該中間桿体と桿体の間に粘着装置で固定して設けられるカーテンと、該窓枠の上端に設けられた桿体の一端に固定して設けられる２本の回転軸と、該カーテン上に適宜な間隔で平行に設けられる複数の平行桿体と、複数のフックでカーテン上に挟持される複数のリングと、該回転軸に設けられた第１チェーンと、もう一本の回転軸に設けられた第２チェーンとを具えてなり、該第１チェーンにより回転軸と伝動軸に連接して連動する垂直に複数設けられた第１コードが複数のリングを貫通して設けられているためカーテンを上下に動かし、第２チェーンと回転軸に連接し、連動する垂直に複数設けられた第２コードが中間桿体を上下に動かし、前述の部材を組み合わせることにより第１チェーンが、固定された上端の桿体と、滑動自在に設けられた下端の桿体の間に設けられたカーテンを上下に動かすとともに、第２チェーンが、滑動自在に設けられた中間桿体と、下端の桿体の間に設けられたカーテンを上下に動かすことができ、簡単で安全にカーテンを取り付け、外すことができる。
【００１０】
請求項２に記載するカーテンの開閉部材は、請求項１におけるカーテンが、布から形成してもよい。
【００１１】
請求項３に記載するカーテンの開閉部材は、請求項１におけるカーテンが、木材から形成してもよい。
【００１２】
請求項４に記載するカーテンの開閉部材は、請求項１におけるカーテンが、竹材から形成してもよい。
【００１３】
請求項５に記載するカーテンの開閉部材は、請求項１における粘着装置が、どのような材質でも対に形成されていればよい。
【００１４】
請求項６に記載するカーテンの開閉部材は、請求項１における第１チェーン及び第２チェーンが、チェーン状であればどのような材質から形成してもよい。
【００１５】
請求項７に記載するカーテンの開閉部材は、請求項１における第１コード及び第２コードが、細いコードの形状であれば、どのような材質から形成してもよい。
【００１６】
請求項８に記載するカーテンの開閉部材は、請求項１におけるフックが、複数の平行桿体と垂直な複数の第１コードが交差する場所に固定して設ける。
【考案の効果】
【００１７】
この考案のカーテンの開閉部材は、安全で簡単に取り付け、外しができる効果を有する。
【考案を実施するための最良の形態】
【００１８】
この考案は、構造が簡単で安全に取り外しを行うことができるカーテンの開閉部材を提供するものであって、窓枠の上端に固定して設けられた桿体と、該上端の桿体の下方のカーテンの上端に粘着装置で粘着固定して設けられた中間桿体と、該中間桿体の下方のカーテンの下端に粘着装置で粘着固定して設けられた桿体と、該中間桿体と桿体の間に粘着装置で固定して設けられるカーテンと、該窓枠の上端に設けられた桿体の一端に固定して設けられる２本の回転軸と、該カーテン上に適宜な間隔で平行に設けられる複数の平行桿体と、複数のフックでカーテン上に挟持される複数のリングと、該回転軸に設けられた第１チェーンと、もう一本の回転軸に設けられた第２チェーンとを具えてなり、該第１チェーンにより回転軸と伝動軸に連接して連動する垂直に複数設けられた第１コードが複数のリングを貫通して設けられているためカーテンを上下に動かし、第２チェーンと回転軸に連接し、連動する垂直に複数設けられた第２コードが中間桿体を上下に動かし、前述の部材を組み合わせることにより第１チェーンが、固定された上端の桿体と、滑動自在に設けられた下端の桿体の間に設けられたカーテンを上下に動かすとともに、第２チェーンが、滑動自在に設けられた中間桿体と、下端の桿体の間に設けられたカーテンを上下に動かすことができ、簡単で安全にカーテンを取り付け、外すことができる。
かかるカーテンの開閉部材の構造と特徴を詳述するために具体的な実施例を挙げ、図示を参照にして以下に説明する。
【実施例】
【００１９】
図３に、この考案のカーテンの背面図を開示する。図面では、上下に開閉するカーテンの開閉部材３の中の１つを開示する。図面によれば、この考案のカーテンの開閉部材３は、従来のカーテンの開閉部材を改良して窓枠の上端に固定して桿体３０が設けられ、該桿体３０の下方のカーテンの上端に粘着装置で固定して設けられ、カーテン３９２の位置を調整し易くする中間桿体３１と、該中間桿体３１の下方のカーテン３９２の下端に粘着装置で固定して設けられた桿体３２と、該中間桿体３１と桿体３２との間に設けられ、布、木材、竹材などで形成するカーテン３９２と、該桿体３０の一端に設けられた回転軸３３と、該回転軸３３から下方に設けられた第１チェーン３４、第２チェーン３５と、該桿体３０から下方に垂直に設けられた第１コード３７と、該桿体３０と中間桿体３１とを接続する第２コード３８と、カーテン３９２上に適宜な間隔で平行に設けられた平行桿体３６と、平行桿体３６上でリング３９１を挟持するフック３９などとを含んでなる。
【００２０】
回転軸３３上に設けられ、回転軸３３と伝動軸とを回転させて連接する第１チェーン３４を引き動かすと、回転軸３３が回転して窓枠の上端に固定して設けられた桿体３０の内部から下方に垂直に設けられた第１コード３７を動かす。該垂直な第１コード３７と、平行桿体３６と、フック３９と、リング３９１を合わせた作用により（平行桿体３６上のフック３９がリング３９１を挟持し、第１コード３７がリング３９１を貫通した後、カーテン３９２の下方に設けられた桿体３２に接続する）カーテン３９２の下端に設けられた桿体３２を動かしてカーテン３９２を上下に平行に動かして開閉する。第２チェーン３５を引くと、回転軸３３が回転し、カーテンの上方に設けられている桿体３０に中間桿体３１を吊るすように設けられている第２コード３８の作用により、中間桿体３１を動かしてカーテン３９２を上下に動かすことができるため、取り外しが便利で、安全である。
【００２１】
図４に、この考案のカーテンの開閉部材の使用状態を開示する。図面によれば、カーテンの開閉部材４は、図３に開示するカーテンの開閉部材と同様の構造を具えてなる。この実施例のカーテンの開閉部材４は、図２に開示する従来のカーテンの開閉部材を改良してチェーン状であれば、どのような材質で形成してもよい２本のチェーンを設けるとともに、カーテン４９２の調整をし易くする中間桿体４１を設けてなる。第１チェーン４４を引くと、回転軸４３が回転して、窓の上端に固定して設けられた桿体４０内部から下方に垂直に設けられた第１コード４７を動かす。該第１コード４７、平行桿体４６、フック４９、リング４９１を合わせた作用により（平行桿体４６上のフック４９がリング４９１を挟持し、第１コード４７がリング４９１を貫通した後、カーテン４９２の下端に設けられた桿体４２に接続する）カーテン４９２の下端に設けられている桿体４２が平行にゆっくりと上下に動かされるため、カーテン４９２を開閉することができる。第２チェーン４５を引き動かすと、回転軸４３内部の軸が回転し、カーテン４９２の上端に設けられた桿体４０に中間桿体４１を吊るすように設ける第２コード４８の作用により、中間桿対４１がカーテン４９２を上下に動かすため、取り付け、外しを安全に簡単に行うことができる。また、第１コード４７、及び第２コード４８は細いコード状でれば、どのような材質から形成してもよい。
【００２２】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案請求の範囲に属するものとする。
【図面の簡単な説明】
【００２３】
【図１】従来の左右に開閉するカーテンを示した説明図である。
【図２】従来の上下に開閉するカーテンを示した説明図である。
【図３】この考案のカーテンの背面を示した説明図である。
【図４】図３に開示するカーテンの使用状態を示した説明図である。
【符号の説明】
【００２４】
１          開閉部材
１０        カーテン
１１        回転軸
１２        桿体
１３        チェーン
２          開閉部材
２０        桿体
２１        回転軸
２２        コード
２３        平行桿体
２４        フック
２５        リング
２６        チェーン
２７        カーテン
３          開閉部材
３０        桿体
３１        中間桿体
３２        桿体
３３        回転軸
３４        第１チェーン
３５        第２チェーン
３６        平行桿体
３７        第１コード
３８        第２コード
３９        フック
３９１      リング
３９２      カーテン
４          開閉部材
４０        桿体
４１        中間桿体
４２        桿体
４３        回転軸
４４        第１チェーン
４５        第２チェーン
４６        平行桿体
４７        第１コード
４８        第２コード
４９        フック
４９１      リング
４９２      カーテン
【図１】
0003122057.tif 000003
【図２】
0003122057.tif 000004
【図３】
0003122057.tif 000005
【図４】
0003122057.tif 000006